(57)【要約】【課題】ペア設定に関する情報をペア定義情報としてストレージ装置が記憶することで、ペア設定の操作を簡単にできる記憶システム及びデータ管理方法を提供しようとするものである。【解決手段】ホスト装置から送られるデータを記憶する１又は複数の記憶制御装置と、１又は複数の記憶制御装置に記憶されるデータの入出力を管理する管理端末と、を有する記憶システムにおいて、１又は複数の記憶制御装置が、複数のハードディスクドライブの記憶領域上にペア設定される２以上の論理ボリュームを形成し、管理端末からのコマンドに基づいて、ペア設定されたコピー元の論理ボリュームに格納されるデータの初期コピーをコピー先の論理ボリュームに対して実行しない状態をペア定義情報として格納する格納部を備えることとした。【選択図】図１
2008293305.tif 000002
【特許請求の範囲】
【請求項１】
ホスト装置から送られるデータを記憶する１又は複数の記憶制御装置と、前記１又は複数の記憶制御装置に記憶されるデータの入出力を管理する管理端末と、を有する記憶システムにおいて、
前記１又は複数の記憶制御装置は、
複数のハードディスクドライブの記憶領域上にペア設定される２以上の論理ボリュームを形成し、
前記管理端末からのコマンドに基づいて、ペア設定されたコピー元の論理ボリュームに格納されるデータの初期コピーをコピー先の論理ボリュームに対して実行しない状態をペア定義情報として格納する格納部を備える
ことを特徴とする記憶システム。
【請求項２】
前記格納部は、
前記管理端末上で複数のペア設定に対してグループ単位で操作するために複数のペア設定された論理ボリュームをグループ定義情報としてさらに格納する
ことを特徴とする請求項１記載の記憶システム。
【請求項３】
前記管理端末は、
前記ペア定義情報を表示画面に表示し、
前記表示画面に表示される任意の指示を選択することでペア生成が実行される
ことを特徴とする請求項１記載の記憶システム。
【請求項４】
前記管理端末は、
入力されたペア定義パラメータに基づいて前記ペア定義情報を作成するための作成コマンドを作成し、前記作成コマンドを前記記憶制御装置に送信すると、
前記記憶制御装置は、
前記管理端末からの前記作成コマンドに基づいて前記ペア定義情報を作成し、
作成した前記ペア定義情報を前記格納部に格納する
ことを特徴とする請求項１記載の記憶システム。
【請求項５】
前記ペア定義パラメータは、
ペア名称、コピー元の論理ボリューム番号及びコピー先の論理ボリューム番号である
ことを特徴とする請求項４記載の記憶システム。
【請求項６】
前記管理端末は、
入力されたグループ定義パラメータに基づいて前記グループ定義情報を作成するための作成コマンドを作成し、前記作成コマンドを前記記憶制御装置に送信すると、
前記記憶制御装置は、
前記管理端末からの前記作成コマンドに基づいて前記グループ定義情報を作成し、
作成した前記グループ定義情報を前記格納部に格納する
ことを特徴とする請求項２記載の記憶システム。
【請求項７】
ホスト装置から送られるデータを記憶する１又は複数の記憶制御装置と、前記１又は複数の記憶制御装置に記憶されるデータの入出力を管理する管理端末と、を有する記憶システムのデータ管理方法において、
前記１又は複数の記憶制御装置では、複数のハードディスクドライブの記憶領域上にペア設定される２以上の論理ボリュームを形成する形成ステップと、
前記管理端末からのコマンドに基づいて、ペア設定されたコピー元の論理ボリュームに格納されるデータの初期コピーをコピー先の論理ボリュームに対して実行しない状態をペア定義情報として格納する格納ステップと、を備える
ことを特徴とするデータ管理方法。
【請求項８】
前記格納ステップでは、前記管理端末上で複数のペア設定に対してグループ単位で操作するために複数のペア設定された論理ボリュームをグループ定義情報としてさらに格納する
ことを特徴とする請求項７記載のデータ管理方法。
【請求項９】
前記管理端末では、前記ペア定義情報を表示画面に表示し、
前記表示画面に表示される任意の指示を選択することでペア生成が実行される
ことを特徴とする請求項７記載のデータ管理方法。
【請求項１０】
前記管理端末では、
入力されたペア定義パラメータに基づいて前記ペア定義情報を作成するための作成コマンドを作成し、前記作成コマンドを前記記憶制御装置に送信し、
前記記憶制御装置では、
前記管理端末からの前記作成コマンドに基づいて前記ペア定義情報を作成し、
作成した前記ペア定義情報を格納する
ことを特徴とする請求項７記載のデータ管理方法。
【請求項１１】
前記ペア定義パラメータは、
ペア名称、コピー元の論理ボリューム番号及びコピー先の論理ボリューム番号である
ことを特徴とする請求項１０記載のデータ管理方法。
【請求項１２】
前記管理端末では、
入力されたグループ定義パラメータに基づいて前記グループ定義情報を作成するための作成コマンドを作成し、前記作成コマンドを前記記憶制御装置に送信すると、
前記記憶制御装置では、
前記管理端末からの前記作成コマンドに基づいて前記グループ定義情報を作成し、
作成した前記グループ定義情報を格納する
ことを特徴とする請求項８記載のデータ管理方法。
【発明の詳細な説明】
【技術分野】
【０００１】
本発明は記憶システム及びデータ管理方法に関し、特に複数のホスト装置間で論理ボリュームのペア定義を使用するための技術に関する。
【背景技術】
【０００２】
近年、大規模なデータを取り扱う記憶システムにおいて、ホスト装置からの大容量のデータを格納するために、ホスト装置からのデータの入出力を制御するストレージ装置が用いられている。
【０００３】
ストレージ装置は、アレイ状に配列された多数のディスクドライブをＲＡＩＤ（Redundant Array of Independent Inexpensive Disks）管理する。多数のディスクドライブが提供する物理的な記憶領域上には少なくとも１つ以上の論理的なボリューム（以下、論理ボリュームという）が形成され、この論理ボリュームがホスト装置に提供される。
【０００４】
ホスト装置は論理ボリュームを１つの物理的なデバイスとして認識し、論理ボリュームへのデータアクセスを行い、管理端末はＲＡＩＤ管理されたストレージ装置を管理する。
【０００５】
この種の記憶システムにおいて、災害等に備えてデータのバックアップを取るような場合には、正側の論理ボリュームと副側の論理ボリュームとでペアを設定し、ペア設定をした論理ボリュームにデータを保存するシステムを構築している。
【０００６】
このようにペア設定をする際には、ストレージ構成に関する情報を変更する必要があるため、ストレージ構成情報の変更を円滑に行うための措置が取られている。
【０００７】
例えば特許文献１には、管理端末がストレージ装置から取得したストレージ構成に関する情報を変更し変更情報としてホスト装置に送ると、ホスト装置は変更情報に基づいて、ストレージ装置に構成変更の指示を与えるストレージシステムが開示されている。
【特許文献１】特開２００５−４４１９９号公報
【発明の開示】
【発明が解決しようとする課題】
【０００８】
ところでユーザがペア設定をする場合には、ＣＵＩ（Character User Interface）環境にあるホスト装置側でコマンドラインによる命令を入力することで、ペア設定が記憶される。
【０００９】
加えて、コマンドラインによって実際に論理ボリュームのコピーを実行するペア作成指示をストレージ装置に行うためには、ストレージ装置と接続するホスト装置毎にペア設定に関する情報が記憶されていなければならない。
【００１０】
このため、災害等でホスト装置が故障した場合や、アクセス権限を持たないためユーザが直接ホスト装置にアクセスできない場合や管理端末から直接ストレージ装置に接続する場合には、ペア設定の操作やペア作成の指示を出すことが出来ないという問題が生じる。
【００１１】
また、ペア設定の操作時に入力するパラメータは、ユーザが実行時に毎回与えなければならなかった。加えて複数のペア設定を実行する場合には、ペア設定の操作が煩雑になる。
【００１２】
本発明は以上の点を考慮してなされたもので、ペア設定に関する情報を定義情報としてストレージ装置が記憶することで、ペア設定の操作を簡単にできる記憶システム及びデータ管理方法を提案しようとするものである。
【課題を解決するための手段】
【００１３】
かかる課題を解決するため本発明は、ホスト装置から送られるデータを記憶する１又は複数の記憶制御装置と、１又は複数の記憶制御装置に記憶されるデータの入出力を管理する管理端末と、を有する記憶システムにおいて、１又は複数の記憶制御装置が、複数のハードディスクドライブの記憶領域上にペア設定される２以上の論理ボリュームを形成し、管理端末からのコマンドに基づいて、ペア設定されたコピー元の論理ボリュームに格納されるデータの初期コピーをコピー先の論理ボリュームに対して実行しない状態をペア定義情報として格納する格納部を備えることを特徴とする。
【００１４】
この結果、ペア設定に関する定義情報をストレージ装置内に記憶することができる。
【００１５】
また本発明は、ホスト装置から送られるデータを記憶する１又は複数の記憶制御装置と、１又は複数の記憶制御装置に記憶されるデータの入出力を管理する管理端末と、を有する記憶システムのデータ管理方法において、１又は複数の記憶制御装置では、複数のハードディスクドライブの記憶領域上にペア設定される２以上の論理ボリュームを形成する形成ステップと、管理端末からのコマンドに基づいて、ペア設定されたコピー元の論理ボリュームに格納されるデータの初期コピーをコピー先の論理ボリュームに対して実行しない状態をペア定義情報として格納する格納ステップと、を備えることを特徴とする。
【００１６】
この結果、ペア設定に関する定義情報をストレージ装置内に記憶することができる。
【発明の効果】
【００１７】
本発明によれば、ペア設定に関する定義情報をストレージ装置内に記憶することで、ペア設定に関する定義情報を共有することができるので、他の管理端末がストレージ装置と接続された場合にも当該定義情報の引継ぎを容易にすることができる。
【００１８】
また本発明によれば、ペア設定に関する定義情報をストレージ装置内に記憶しているので、ＧＵＩ（Graphical User Interface）環境下で管理端末の表示画面からペア設定に関する操作性が簡単にできる。
【発明を実施するための最良の形態】
【００１９】
（１）第１の実施の形態
（１−１）記憶システム
まず、本実施の形態による記憶システムについて以下に説明する。
【００２０】
図１において、１は全体として本実施の形態による記憶システムを示す。
【００２１】
この記憶システム１は、複数のホスト装置２がＳＡＮ（Storage Area Network）３を介して複数のストレージ装置４と接続され、複数のストレージ装置４がＬＡＮ（Local Area Network）５を介して管理端末６と接続される構成である。
【００２２】
ホスト装置２は、ＣＰＵ（Central Processing Unit）やメモリ等の情報処理資源を備えたコンピュータ装置であり、例えばパーソナルコンピュータや、ワークステーション、メインフレームなどから構成される。またホスト装置２は、キーボード、スイッチやポインティングデバイス、マイクロフォン等の情報入力装置（図示せず）と、モニタディスプレイやスピーカ等の情報出力装置（図示せず）とを備える。
【００２３】
ストレージ装置４は、記憶制御装置であって、主にコントローラ７と、記憶装置８とを備える。
【００２４】
コントローラ７は、ＬＡＮインターフェース７０、フロントエンドインターフェース７１、ＣＰＵ７２、ローカルメモリ７３、データ転送コントローラ７５、キャッシュメモリ７５及びバックエンドインターフェース７６を備える。
【００２５】
コントローラ７は、複数のハードディスクドライブ８０をいわゆるＲＡＩＤ方式に規定されるＲＡＩＤレベル（例えば、０，１，５）で制御することができる。ＲＡＩＤ方式においては、複数のハードディスクドライブ８０が１つのＲＡＩＤグループとして管理される。ＲＡＩＤグループ上には、ホスト装置２からのアクセス単位である複数の論理ボリュームＶＯＬが定義されている。それぞれの論理ボリュームＶＯＬには、ＬＵＮ（Logical Unit Number）が割当てられている。
【００２６】
ＣＰＵ７２は、ホスト装置２からのデータの入出力要求に応答して、複数のハードディスクドライブ８０へのライトアクセス又はリードアクセスを制御するプロセッサである。またＣＰＵ７２は、管理端末６から送信される各種コマンドに応じた処理やローカルメモリ７３に格納されるプログラム処理を実行するプロセッサである。
【００２７】
ローカルメモリ７３には、各種情報７３０〜７３３及びペアを生成するためのペア生成プログラム７３４などが格納されている。各種情報などについては、後述する。
【００２８】
データ転送コントローラ７４は、キャッシュメモリ７５、フロントエンドインターフェース７１、バックエンドインターフェース７６及びＣＰＵ７２を接続し、ホスト装置２とハードディスクドライブ８０との間のデータ転送を制御する。
【００２９】
キャッシュメモリ７５は、ハードディスクドライブ８０に書き込むためのライトデータ又はハードディスクドライブから読み出したリードデータを一時的に格納するバッファメモリである。キャッシュメモリ７５は、電源バックアップされており、ストレージ装置４に電源障害が発生した場合でも、キャッシュデータの消失を防ぐ不揮発性メモリとして構成されている。
【００３０】
ホスト装置２からのライトアクセスが要求されると、データ転送コントローラ７４は、まずフロントエンドインターフェース７１を介してホスト装置２から受け取ったデータをキャッシュメモリ７５に書き込む。その後、データ転送コントローラ７４は、そのライトデータをハードディスクドライブ８０へ非同期書き込みすることを目的として、そのライトデータをバックエンドインターフェース７６へ転送する。
【００３１】
またホスト装置２からのリードアクセスが要求されると、バックエンドインターフェース７６を介して、ハードディスクドライブ８０から読み取ったリードデータをキャッシュメモリ７５に書き込むとともに、フロントエンドインターフェース７１にそのリードデータを転送する。
【００３２】
フロントエンドインターフェース７１は、ホスト装置２とのインターフェースを制御するコントローラであり、例えば、ファイバチャネルプロトコルに基づくホスト装置２からのブロックアクセス要求を受信する機能を有する。
【００３３】
バックエンドインターフェース７６は、ハードディスクドライブ８０とのインターフェースを制御するコントローラであり、例えば、ハードディスクドライブ８０を制御するプロトコルに基づくハードディスクドライブ８０へのデータ入出力要求を制御する機能を有する。
【００３４】
ＬＡＮインターフェース７０は、ＬＡＮに接続するインターフェースであり、ＴＣＰ／ＩＰに基づいて管理端末との間でデータ及び制御信号の送受信を制御する。
【００３５】
記憶装置８は、複数のハードディスクドライブ８０を備える。ハードディスクドライブ８０は、ＦＣ（Fibre Channel）ディスクドライブ、ＳＡＴＡ（Serial Advanced Technology Attachment）ディスクドライブ、ＰＡＴＡ（Parallel Advanced Technology Attachment）ディスクドライブ、ＦＡＴＡ（Fibre Advanced Technology Attachment）ディスクドライブ、ＳＡＳ（Serial Advanced SCSI）ディスクドライブ或いはＳＣＳＩ（Small Computer System Interface）ディスクドライブ等のストレージデバイスである。
【００３６】
管理端末６は、例えば、ＣＰＵ、メモリ及びディスプレイ等のハードウェア資源を備えるコンピュータシステムである。ユーザは、管理端末６を入力操作することにより、ストレージ装置４を管理するためのコマンドをストレージ装置４に送信する。ストレージ装置４を管理するためのコマンドとしては、例えば、ハードディスクドライブ８０の増設或いは減設、又はＲＡＩＤ構成の変更を指示するためのコマンド、ＣＰＵのマイクロプログラムをメモリにインストールするためのコマンド、ストレージ装置４の動作状態の確認や故障部位を特定するためのコマンド等がある。
【００３７】
また管理端末６には、本実施の形態を実現することができるストレージ管理プログラム６０が格納されている。
【００３８】
ストレージ管理プログラム６０は、ストレージ装置４のローカルメモリ７３に各種定義情報を格納するためのプログラムである。そして管理端末６のＣＰＵがストレージ管理プログラム６０を実行する。
【００３９】
（１−２）ローカルメモリの構成
次にローカルメモリ７３に格納される構成について説明する。
【００４０】
図２に示すように、ローカルメモリ７３は、コンシステンシ・グループ定義情報（図中ＣＴＧ定義情報と略記）７３０、ペア定義情報７３１、ペア状態情報７３２、セキュリティ情報７３３及びペア生成プログラム７３４を格納する。
【００４１】
なお、以降の図ではコンシステンシ・グループをＣＴＧと略記して説明する場合がある。以下では各情報７３０〜７３３について説明する。
【００４２】
（１−２−１）コンシステンシ・グループ定義情報
図３はコンシステンシ・グループ定義情報７３０を示す。
【００４３】
コンシステンシ・グループ定義情報７３０には、論理ボリュームＶＯＬのペア設定を実行するグループ定義が格納されている。
【００４４】
ここで、コンシステンシ・グループとは、複数のペア設定に対して一度に同じ操作を行えるグループをいう。
【００４５】
コンシステンシ・グループには、複数のペア設定に対して行うためのコピー種別がある。このコピー種別としては、シャドウイメージ（図中ＳＩと略記）、スナップショット（図中ＳＳと略記）、トゥルーコピー（図中ＴＣと略記）及び非同期トゥルーコピー（図中ＴＣＥと略記）がある。
【００４６】
シャドウイメージとは、ストレージ装置４内にある２以上の論理ボリュームＶＯＬに対してペア設定を行う場合のコピー方法である。
【００４７】
スナップショットとは、ある論理ボリュームＶＯＬに対して定期的に取得したデータをストレージ装置４内にある別の論理ボリュームＶＯＬにコピーするコピー方法である。
【００４８】
トゥルーコピーとは、ストレージ装置４間にある論理ボリュームＶＯＬに対してペア設定を行う場合のコピー方法であり、両論理ボリュームＶＯＬに対してデータが書き込まれたことを条件として、ホスト装置２にライト完了を報告する同期コピー方法である。
【００４９】
非同期トゥルーコピーとは、ストレージ装置４間にある論理ボリュームＶＯＬに対してペア設定を行う場合のコピー方法であり、コピー元の正側論理ボリュームＰＶＯＬに対してデータが書き込まれた段階でホスト装置２にライト完了を報告し、適当な時期にコピー先の副側論理ボリュームＳＶＯＬに正側論理ボリュームＰＶＯＬのデータを非同期でコピーする非同期コピー方法である。
【００５０】
コンシステンシ・グループ定義情報７３０は、ＣＴＧ０名称７３０Ａ、ＣＴＧ１名称７３０Ｂ…ＣＴＧ最大値名称７３０Ｎをグループ毎に格納する。なお、名称とは、ユーザが操作上わかり易くするためにつける任意の名称である。
【００５１】
（１−２−２）ペア定義情報
図４はペア定義情報７３１を示す。
【００５２】
ペア定義情報７３１には、論理ボリュームＶＯＬ毎に設定されるペア定義に関する情報が格納されている。ペア定義情報７３１は、ペア定義（ＶＯＬ０）７３１Ａ、ペア定義（ＶＯＬ１）７３１Ｂ…ペア定義（ＶＯＬｎ）７３１Ｎを格納する。
【００５３】
ここでペア定義とは、２以上の論理ボリュームＶＯＬに対してペア設定のみがなされた状態であり、ペア設定された副側論理ボリュームＳＶＯＬに初期コピーが実行されていない状態をいう。
【００５４】
各論理ボリュームＶＯＬのペア定義情報には、それぞれ各種情報が格納されている。
【００５５】
各種情報は、定義状態７３１０、ボリューム属性７３１１、ＣＴＧ有効フラグ７３１２、ＣＴＧ番号７３１３、Ｐ−ＶＯＬ番号７３１４、Ｐ−ＶＯＬ識別番号７３１５、相手論理ボリューム７３１６、プール番号７３１７、ペア名称７３１８及びパラメータ７３１９に関する情報である。
【００５６】
定義状態７３１０は、該当する論理ボリュームＶＯＬに対してペア定義がされているか否かの情報を示す。
【００５７】
ボリューム属性７３１１は、該当する論理ボリュームＶＯＬが正側論理ボリュームＰＶＯＬか副側論理ボリュームＳＶＯＬかの情報を示す。
【００５８】
ＣＴＧ有効フラグ７３１２は、ペア定義された論理ボリュームＶＯＬがコンシステンシ・グループに属するか否かの情報を示す。
【００５９】
ＣＴＧ番号７３１３は、ペア定義された論理ボリュームがコンシステンシ・グループに属する場合の所属番号の情報を示す。
【００６０】
Ｐ−ＶＯＬ番号７３１４は、該当する論理ボリュームＶＯＬが副側論理ボリュームＳＶＯＬである場合に、正側論理ボリュームＰＶＯＬのボリューム番号の情報を示す。
【００６１】
Ｐ−ＶＯＬ識別番号７３１５は、正側論理ボリュームＰＶＯＬと複数の副側論理ボリュームＳＶＯＬがペア設定されており、該当する論理ボリュームＶＯＬが副側論理ボリュームＳＶＯＬである場合に、正側論理ボリュームＰＶＯＬを識別するための識別番号の情報を示す。
【００６２】
相手論理ボリューム７３１６は、該当する論理ボリュームＶＯＬが正側論理ボリュームＰＶＯＬである場合に、副側論理ボリュームＳＶＯＬを提供するストレージ装置４の装置番号と、副側論理ボリュームＳＶＯＬのボリューム番号との情報を示す。
【００６３】
プール番号７３１７は、該当する論理ボリュームＶＯＬが使用するプール番号の情報を示す。プールとは、ハードディスクドライブ８０から構成した仮想的な記憶領域のことをいい、プールの容量をＬＵＮに割当てて論理ボリュームＶＯＬを設定することができる。
【００６４】
ペア名称７３１８は、ペアにつける名称の情報を示す。
【００６５】
パラメータ７３１９は、正側論理ボリュームＰＶＯＬから副側論理ボリュームＳＶＯＬにデータをコピーする際のコピー速度の情報を示す。
【００６６】
なお、ペア定義情報７３１の各種情報のうち、定義状態７３１０、ボリューム属性７３１１、ＣＴＧ有効フラグ７３１２、ＣＴＧ番号７３１３、及びペア名称７３１８に関する情報は、シャドウイメージ、スナップショット、トゥルーコピー及び非同期トゥルーコピーに適用される情報である。
【００６７】
そして、Ｐ−ＶＯＬ番号７３１４及びＰ−ＶＯＬ識別番号７３１５に関する情報は、シャドウイメージ及びスナップショットに適用される情報である。
【００６８】
また、相手論理ボリューム７３１６の装置番号に関する情報は、トゥルーコピー及び非同期トゥルーコピーに適用される情報である。
【００６９】
プール番号７３１７に関する情報は、スナップショット及び非同期トゥルーコピーに適用される情報である。
【００７０】
（１−２−３）ペア状態情報
図５はペア状態情報７３２を示す。
【００７１】
ペア状態情報７３２には、論理ボリュームＶＯＬ毎に設定されたペア状態に関する情報が格納されている。ペア状態情報７３２は、ペア状態（ＶＯＬ０）７３２Ａ、ペア状態（ＶＯＬ１）７３２Ｂ…ペア状態（ＶＯＬｎ）７３２Ｎを格納する。
【００７２】
ここでペア状態とは、正側論理ボリュームＰＶＯＬ内にあるデータを、ペア設定された副側論理ボリュームＳＶＯＬに初期コピーが実行済みである状態をいう。
【００７３】
各論理ボリュームＶＯＬのペア状態情報には、それぞれ各種情報が格納されている。
【００７４】
各種情報は、ペア状態７３２０、ボリューム属性７３２１、ＣＴＧ有効フラグ７３２２、ＣＴＧ番号７３２３、Ｐ−ＶＯＬ番号７３２４、Ｐ−ＶＯＬ識別番号７３２５、相手論理ボリューム７３２６、差分情報７３２７及び各種パラメータ７３２８に関する情報である。
【００７５】
ペア状態７３２０は、ペア設定された論理ボリュームＶＯＬに関する現在の状態の情報を示す。ペア状態７３２０は、例えば、ペア設定された論理ボリュームＶＯＬが、現在では、正側論理ボリュームＰＶＯＬの内容が副側論理ボリュームＳＶＯＬに反映されないように分割している状態である、又は、正側論理ボリュームＰＶＯＬの内容が副側論理ボリュームＳＶＯＬに同期して反映されるような状態である等の情報を格納する。
【００７６】
ボリューム属性７３２１、ＣＴＧ有効フラグ７３２２、ＣＴＧ番号７３２３、Ｐ−ＶＯＬ番号７３２４、Ｐ−ＶＯＬ識別番号７３２５及び相手論理ボリューム７３２６は、上述したボリューム属性７３１１、ＣＴＧ有効フラグ７３１２、ＣＴＧ番号７３１３、Ｐ−ＶＯＬ番号７３１４、Ｐ−ＶＯＬ識別番号７３１５及び相手論理ボリューム７３１６と同様の内容のため、説明を省略する。
【００７７】
差分情報７３２７は、正側論理ボリュームＰＶＯＬと副側論理ボリュームＳＶＯＬとを分割したことで正側論理ボリュームＰＶＯＬの内容を副側論理ボリュームＳＶＯＬに反映させないために生じるデータの差分情報を示す。
【００７８】
各種パラメータ７３２８は、ユーザがペア操作時に指定する各種パラメータのオプション情報を示す。各種パラメータとは、フェンスレベル、ペア生成後の分割有無、ペア生成後における副側論理ボリュームＳＶＯＬへのリード・ライトの可否及びコピー速度などである。
【００７９】
なお、ペア状態情報７３２の各種情報のうち、ペア状態７３２０、ボリューム属性７３２１、ＣＴＧ有効フラグ７３２２、ＣＴＧ番号７３２３、差分情報７３２７及び各種パラメータ７３２８に関する情報は、シャドウイメージ、スナップショット、トゥルーコピー及び非同期トゥルーコピーに適用される情報である。
【００８０】
そして、Ｐ−ＶＯＬ番号７３２４及びＰ−ＶＯＬ識別番号７３２５に関する情報は、シャドウイメージ及びスナップショットに適用される情報である。
【００８１】
また、相手論理ボリューム７３２６の装置番号に関する情報は、トゥルーコピー及び非同期トゥルーコピーに適用される情報である。
【００８２】
（１−２−４）セキュリティ情報
図６はセキュリティ情報７３３を示す。
【００８３】
セキュリティ情報７３３は、ストレージ装置４内部で有する情報であって、ホスト装置２に提供する論理ボリュームＶＯＬのセキュリティ情報である。
【００８４】
セキュリティ情報７３３は、「ホストグループ」フィールド７３３Ａ、「ポート番号」フィールド７３３Ｂ、「ホスト番号」フィールド７３３Ｃ、「論理ボリューム番号」フィールド７３３Ｄ及び「Ｈ−ＬＵＮ」フィールド７３３Ｅから構成される。
【００８５】
「ホストグループ」フィールド７３３Ａは、ストレージ装置４内で作成される論理的なグループ情報を格納する。
【００８６】
「ポート番号」フィールド７３３Ｂは、ホスト装置２が指定する論理ボリュームＶＯＬにアクセスする際に使用するポート番号情報を格納する。
【００８７】
「ホスト番号」フィールド７３３Ｃは、ホスト装置２の番号情報を格納する。
【００８８】
「論理ボリューム番号」フィールド７３３Ｄは、ホスト装置２が指定する論理ボリュームＶＯＬのボリューム番号情報を格納する。
【００８９】
「Ｈ−ＬＵＮ」フィールド７３３Ｅは、ホスト装置２が指定する論理ボリュームＶＯＬをホスト装置２上で管理する論理ボリューム番号に変換したボリューム番号情報を格納する。
【００９０】
（１−３）管理端末の画面
以上のように構成された本実施の形態による記憶システム１は、ストレージ装置４にペア定義を格納する点が特徴である。
【００９１】
この特徴を実現するために、管理端末６でユーザが設定操作するためのＧＵＩ画面Ｔ１を説明する。
【００９２】
図７は管理端末６でのＧＵＩ画面Ｔ１の遷移図である。
【００９３】
ユーザが、ＧＵＩ画面Ｔ１にある「メニュー」Ｔ２をクリックすると、「ＳＩメニュー」Ｔ３、「ＳＳメニュー」Ｔ４、「ＴＣメニュー」Ｔ５及び「ＴＣＥメニュー」Ｔ６が表示される。
【００９４】
ユーザが、「ＳＩメニュー」Ｔ３をクリックすると、「ＣＴＧ定義一覧」Ｔ１０、「ペア定義一覧」Ｔ２０及び「ＣＴＧ状態一覧」Ｔ３０が表示される。
【００９５】
例えば、ユーザが図７に示す「ＣＴＧ定義一覧」Ｔ１０をクリックすると、図８に示すように、コンシステンシ・グループ定義一覧画面Ｇ１が表示される。コンシステンシ・グループ定義一覧Ｇ１には、「コピー種別」フィールド、「ＣＴＧ番号」フィールド及び「ＣＴＧ名称」フィールドからなる表Ｈ１が表示される。
【００９６】
ユーザが、この表Ｈ１からコンシステンシ・グループの定義作成を実行したい場合には、チェックボックスＣ１、Ｃ２内をチェックすることなく、そのまま「作成」ボタンＢ１をクリックする。
【００９７】
一方、ユーザが、表Ｈ１に出力されたグループの変更或いは削除を実行したい場合には、チェックボックスＣ１、Ｃ２内にチェックする。チェックボックスＣ１、Ｃ２内にチェックしたユーザが、「変更」ボタンＢ２又は「削除」ボタンＢ３のいずれかをクリックすると、ボタン名に応じた処理が実行される。
【００９８】
なお、コンシステンシ・グループ定義を複数変更又は削除したい場合には、チェックボックスＣ１、Ｃ２から複数をチェックする。
【００９９】
図９はユーザが「作成」ボタンＢ１をクリックした場合のＣＴＧ定義作成画面Ｇ２である。
【０１００】
ユーザは、「ＣＴＧ番号」及び「ＣＴＧ名称」に定義作成を希望する値を入力する。なお、「コピー種別」は自動的に出力される。希望値を入力したユーザが「ＯＫ」ボタンＢ４又は「Cancel」ボタンＢ５のいずれかを選択してクリックすると、コンシステンシ・グループ定義の作成又は作成中止の処理が行われる。
【０１０１】
図７に戻り、ユーザがＧＵＩ画面Ｔ１にある「ペア定義一覧」Ｔ２０をクリックすると、各種項目Ｔ２１〜Ｔ２３が表示される。
【０１０２】
例えば、ユーザが図７に示す「ペア定義一覧」Ｔ２０をクリックすると、図１０に示すように、ペア定義一覧画面Ｇ３が表示される。ペア定義一覧画面Ｇ３に、「ペア名称」フィールド、「Ｐ−ＶＯＬ番号」フィールド、「Ｐ−ＶＯＬ識別番号」フィールド及び「Ｓ−ＶＯＬ番号」フィールドからなる表Ｈ３が表示される。
【０１０３】
ユーザはこの表Ｈ３からペア定義作成を実行したい場合には、チェックボックスＣ３、Ｃ４内をチェックすることなく、そのまま「作成」ボタンＢ６をクリックする。
【０１０４】
一方ユーザは、表Ｈ３に出力されたグループの変更或いは削除を実行したい場合には、チェックボックスＣ３、Ｃ４内にチェックする。チェックボックスＣ３、Ｃ４内にチェックしたユーザが、「変更」ボタンＢ７又は「削除」ボタンＢ８のいずれかをクリックすると、ボタン名に応じた処理が実行される。
【０１０５】
なお、ペア定義を複数変更又は削除したい場合には、チェックボックスＣ３、Ｃ４内から複数をチェックすればよい。
【０１０６】
図１１は、ユーザが「作成」ボタンＢ６をクリックした場合のペア定義作成画面Ｇ４である。ユーザは、表Ｈ４を構成する「ペア名称」フィールド、「Ｐ−ＶＯＬ番号」フィールド、「Ｐ−ＶＯＬ識別番号」フィールド及び「Ｓ−ＶＯＬ番号」フィールドにペア定義作成を希望する値を入力する。
【０１０７】
なお、「コピー種別」、「ＣＴＧ番号」及び「ＣＴＧ名称」は自動的に出力される。希望値を入力したユーザが「ＯＫ」ボタンＢ９又は「Cancel」ボタンＢ１０のいずれかを選択してクリックすると、ペア定義の作成又は作成中止の処理が行われる。
【０１０８】
図７に戻り、ユーザがＧＵＩ画面Ｔ１にある「ＣＴＧ状態一覧」Ｔ３０をクリックすると、各種項目Ｔ３１〜Ｔ３７が表示される。
【０１０９】
例えば、ユーザが図７に示す「ＣＴＧ状態一覧」Ｔ３０をクリックすると、図１２に示すように、コンシステンシ・グループ状態一覧画面Ｇ５が表示される。コンシステンシ・グループ状態一覧画面Ｇ５に、「ＣＴＧ番号」フィールド、「ＣＴＧ名称」フィールド及び「ペア状態」フィールドからなる表Ｈ５が表示される。「ペア状態」フィールドにある「シンプレックス」は、ＣＴＧ定義とペア定義のみがされ、副側論理ボリュームＳＶＯＬに初期コピーが行われていない状態を示す。
【０１１０】
そして、ユーザはこの表Ｈ５に示すコンシステンシ・グループの状態でペア生成を実行したい場合には、チェックボックスＣ６にチェックして、「生成」ボタンＢ１１をクリックする。そうすると、コンシステンシ・グループ「５」に所属する全てのペアが生成されることになる。
【０１１１】
ユーザは、いずれかのチェックボックスＣ５〜Ｃ６にチェックした後、「分割」ボタンＢ１２、ペア設定を解除するための「解除」ボタンＢ１３、分割していたペアを再び同期させるための「再同期」ボタンＢ１４、「回復」ボタンＢ１５、「スワップ」ボタンＢ１６又は「ペア状態」ボタンＢ１７を選択すると、ボタン名に応じた処理が実行される。
【０１１２】
なお、「回復」ボタンＢ１５は、正側論理ボリュームＰＶＯＬを副側論理ボリュームＳＶＯＬの状態に戻すために、副側論理ボリュームＳＶＯＬにあるデータを正側論理ボリュームＰＶＯＬにコピーするボタンである。
【０１１３】
また、「スワップ」ボタンＢ１６は、正側論理ボリュームＰＶＯＬと副側論理ボリュームＳＶＯＬとを入れ替え、副側論理ボリュームＳＶＯＬを入れ替え後の正側論理ボリュームＰＶＯＬとし、この入れ替え後の正側論理ボリュームＰＶＯＬから入れ替え後の副側論理ボリュームＳＶＯＬにコピーをするボタンである。このボタンＢ１６は、トゥルーコピー及び非同期トゥルーコピーに適用される。
【０１１４】
「ペア状態」ボタンＢ１７は、チェックしたコンシステンシ・グループに属するペア状態を一覧できるボタンである。
【０１１５】
図７に戻り、ユーザが「ペア状態一覧」Ｔ３７をクリックすると、各種項目Ｔ３７０〜Ｔ３７６が表示される。
【０１１６】
ユーザが図７に示す「ペア状態一覧」Ｔ３７をクリックすると、図１３に示すペア状態一覧画面Ｇ６が表示される。ペア状態一覧画面Ｇ６に、「ペア名称」フィールド、「Ｐ−ＶＯＬ番号」フィールド、「Ｐ−ＶＯＬ識別番号」フィールド、「Ｓ−ＶＯＬ番号」フィールド、「ペア状態」フィールド、正側論理ボリュームＰＶＯＬと副側論理ボリュームＳＶＯＬとの内容の一致率を示す「一致率」フィールド及び正側論理ボリュームＰＶＯＬと副側論理ボリュームＳＶＯＬとの容量を示す「容量」フィールド等からなる表Ｈ６が表示される。
【０１１７】
その他、ペア状態一覧表Ｈ６のフィールドを構成する「フィールド名」及びフィールド名の具体的な内容を示す「内容」を図１４に示す。
【０１１８】
そして図１３に戻り、ユーザはこの表Ｈ６に示すペア状態でペア生成を実行したい場合には、チェックボックスＣ９にチェックして、「生成」ボタンＢ２１をクリックする。
【０１１９】
また、ユーザは、いずれかのチェックボックスＣ９、Ｃ１０、Ｃ１２をチェックし「分割」ボタンＢ２２、「解除」ボタンＢ２３、「再同期」ボタンＢ２４、「回復」ボタンＢ２５又は「スワップ」ボタンＢ２６を選択すると、ボタン名に応じた処理が実行される。
【０１２０】
さらに、従来方式によってホスト装置２側でペア設定をした場合には、図１３に示すように「ペア名称」フィールドが空欄Ｅ２になって表示されるので、空欄Ｅ２表示されているペアのチェックボックスＣ１１をチェックして「定義作成」ボタンＢ２７をクリックする。そうすると、管理端末６はペア状態からペア定義を作成しストレージ装置４に送信する。ストレージ装置４は、ペア定義をストレージ装置４のローカルメモリ７３に格納する。このようにペア定義情報がない状態でペアが生成されている場合でも、生成されているペアからペア定義情報を作成してストレージ装置４に格納することができる。
【０１２１】
ユーザが表Ｈ６に示す「生成」ボタンＢ２１をクリックすると、図１５に示す「ペア生成」画面Ｇ７が表示される。「ペア生成」画面Ｇ７には、「オプション」フィールド及び「値」フィールドからなるペア生成一覧表Ｈ７が表示される。
【０１２２】
「オプション」フィールドにある各項目を設定する場合には、ユーザはプルダウンボタンＢ３０〜Ｂ３３からプルダウンさせて設定したい値を選択する。設定値を選択したユーザが「ＯＫ」ボタンＢ３４又は「Cancel」ボタンＢ３５のいずれかを選択してクリックすると、オプションの設定又は中止の処理が行われる。
【０１２３】
図７の遷移図Ｔ３Ａは、「ＳＳメニュー」Ｔ４、「ＴＣメニュー」Ｔ５又は「ＴＣＥメニュー」Ｔ６を選択しても上述に説明した画面Ｇ１〜Ｇ７が同様に表示されることを示している（Ｔ４Ａ、Ｔ５Ａ、Ｔ６Ａ）。
【０１２４】
なお、管理端末６のメニュー画面Ｔ１にコンシステンシ・グループ定義情報及びペア定義情報をファイルとして入出力させるインポートメニューとエクスポートメニューとを表示させることもできる。
【０１２５】
例えばユーザが、エクスポートメニューを選択すると、管理端末６はストレージ装置４のローカルメモリ７３からコンシステンシ・グループ定義情報７３０及びペア定義情報７３１を取得し、取得した各種定義情報７３０，７３１をファイルとして他のストレージ装置４に出力できる。ファイルとして出力する出力先や、ファイル名はユーザが与えるものとする。
【０１２６】
またユーザが、インポートメニューを選択すると、管理端末６はユーザによって指定されたコンシステンシ・グループ定義情報７３０及びペア定義情報７３１をファイルとしてストレージ装置４のローカルメモリ７３に格納できる。
【０１２７】
（１−４）コンシステンシ・グループ定義情報の格納手順
（１−４−１）コンシステンシ・グループ定義情報の格納処理手順
次に、ペア定義情報７３１をストレージ装置４に格納する前に、コンシステンシ・グループ定義情報７３０をストレージ装置４に格納する処理手順を説明する。この格納処理手順は、管理端末６がストレージ管理プログラム６０に基づいて実行する。
【０１２８】
具体的には、図１６及び図１７に示すように、ユーザは、コンシステンシ・グループ定義画面Ｇ１を管理端末６へ表示させる（Ｓ０）。
【０１２９】
そうすると管理端末６はコンシステンシ・グループ定義情報をストレージ装置４から取得するためのコマンドを作成し（Ｓ１）、当該コマンドをストレージ装置４に送信する（Ｓ２）。
【０１３０】
コマンドを受信したストレージ装置４は、ローカルメモリ７３に格納している全てのコンシステンシ・グループ定義情報７３０を管理端末６に送信する（Ｓ３）。このとき、コンシステンシ・グループ定義情報７３０として何らの情報も格納されていないので、ストレージ装置４は、フィールド名の情報のみを送信する。
【０１３１】
コンシステンシ・グループ定義情報７３０を受信した管理端末６は、全てのコンシステンシ・グループ定義情報７３０をユーザに表示する。すなわち、管理端末６は、コンシンステンシ・グループ定義一覧画面Ｇ１をユーザに表示する（Ｓ４）。
【０１３２】
次にユーザは、表示された画面Ｇ１から「作成」ボタンＢ１をクリックする（Ｓ５）。
【０１３３】
そうすると管理端末６は、ユーザにコンシンステンシ・グループ定義作成画面Ｇ２を表示する（Ｓ６）。
【０１３４】
ユーザは、表示された画面Ｇ２から「ＣＴＧ番号」及び「ＣＴＧ名称」を入力して「ＯＫ」ボタンＢ４をクリックする（Ｓ７）。
【０１３５】
そうすると管理端末６は、ユーザが入力したパラメータを取得し（Ｓ８）、取得したパラメータに基づいてコンシステンシ・グループ定義の作成コマンドを作成する（Ｓ９）。なお、コンシステンシ・グループ定義の作成コマンドを作成方法については、後述する。
【０１３６】
コンシステンシ・グループ定義の作成コマンドを作成した管理端末６は、作成コマンドをストレージ装置４に送信する（Ｓ１０）。
【０１３７】
作成コマンドを受信したストレージ装置４は、作成コマンドに基づいてコンシステンシ・グループ定義を作成し、作成したコンシステンシ・グループ定義をローカルメモリ７３内に格納する（Ｓ１１）。
【０１３８】
その後ストレージ装置４は、格納した旨の報告を管理端末６に送信する（Ｓ１２）。
【０１３９】
報告を受領した管理端末６は、コンシステンシ・グループ定義情報７３０を取得するための取得コマンドを作成し（Ｓ１３）、作成した取得コマンドをストレージ装置４に送信する（Ｓ１４）。
【０１４０】
取得コマンドを受信したストレージ装置４は、全てのコンシステンシ・グループ定義情報７３０をローカルメモリ７３から引き出して、当該情報７３０を管理端末６に送信する（Ｓ１５）。
【０１４１】
全てのコンシステンシ・グループ定義情報７３０を受信した管理端末６は、コンシステンシ・グループ定義一覧表Ｈ１にコンシステンシ・グループ定義情報７３０を表示する（Ｓ１６）。このとき、ステップＳ７でユーザが入力した値でコンシステンシ・グループが定義づけられるので、再びユーザが図７に示す「ＣＴＧ定義一覧」Ｔ１０をクリックすると、定義づけられたコンシステンシ・グループが一覧表Ｈ１に表示されることになる。
【０１４２】
（１−４−２）コンシステンシ・グループ定義に関する作成コマンドの作成処理
では次に、ステップＳ９でのコンシステンシ・グループ定義に関する作成コマンドの作成処理について説明する。作成コマンドの作成処理は、管理端末６がストレージ管理プログラム６０に基づいて実行する。
【０１４３】
具体的には図１８に示すように、管理端末６は、ユーザが入力したパラメータを取得すると（Ｓ８）、コンシステンシ・グループ定義に関する作成コマンドの作成処理を開始する（Ｓ２０）。
【０１４４】
まず管理端末６は、ユーザが入力したパラメータをチェックして（Ｓ２１）、当該パラメータにエラーがあるか否かを判断する（Ｓ２２）。
【０１４５】
管理端末６は、ユーザが入力したパラメータにエラーがないと判断すると（Ｓ２２：ＮＯ）、当該パラメータをストレージ装置４に送信するために、管理端末６とストレージ装置４との間のコマンドを設定する。
【０１４６】
図１９に示すように、管理端末６とストレージ装置４との間のコマンドは、予め決められたコマンドである「ページコード」Ｃ１０、コマンド長である「ページ長」Ｃ１１及び「付加情報」Ｃ１２から構成される。
【０１４７】
付加情報Ｃ１２は設定するコマンドによって異なる。本ステップでは、コンシステンシ・グループ定義に関する作成コマンドの付加情報Ｃ１２なので、当該付加情報Ｃ１２は、作成、削除又は変更であるかの「設定種別」Ｃ１２０、シャドウイメージ、スナップショット、トゥルーコピー又は非同期トゥルーコピーかの「コピー種別」Ｃ１２１、「ＣＴＧ番号」Ｃ１２２及び「ＣＴＧ名称」Ｃ１２３の情報から構成される。
【０１４８】
管理端末６は、付加情報Ｃ１２を設定する（Ｓ２３）。具体的には管理端末６は、「設定種別」Ｃ１２０に「作成」を設定し、「コピー種別」Ｃ１２１、「ＣＴＧ番号」Ｃ１２２及び「ＣＴＧ名称」Ｃ１２３にユーザが入力したパラメータを設定する（Ｓ２３）。
【０１４９】
この設定により、管理端末６は、コンシステンシ・グループ定義に関する作成コマンドを作成したため、作成処理を終了する（Ｓ２５）。
【０１５０】
なお、ステップＳ２２において、管理端末６はユーザが入力したパラメータにエラーがあると判断すると（Ｓ２２：ＹＥＳ）、管理端末６上の画面にエラーメッセージを表示して（Ｓ２４）、作成処理を終了する（Ｓ２５）。
【０１５１】
（１−５）ペア定義情報の格納手順
次に、ペア定義情報７３１をストレージ装置２に格納する処理手順を説明する。この格納処理手順は、管理端末６がストレージ管理プログラム６０に基づいて実行する。
【０１５２】
具体的には、図２０及び図２１に示すように、ユーザはペア定義画面Ｇ３を管理端末６へ表示させる（Ｓ３０）。
【０１５３】
その後、ペア定義情報７３１に関するステップＳ３１〜Ｓ４６の格納手順は、上述で説明したコンシステンシ・グループ定義情報の格納手順ステップＳ１〜Ｓ１６までと同様の処理手順で行う。
【０１５４】
ただし、管理端末６はペア定義情報を取得するためのコマンドを作成し、管理端末６及びストレージ装置４はペア定義情報取得コマンドに基づいた処理を行う（Ｓ３１〜Ｓ３４）。引き続き管理端末６は、ユーザが入力したパラメータに基づいてペア定義作成コマンドを作成し、ペア定義作成コマンドに基づいた処理を行う（Ｓ３５〜Ｓ４０）。
【０１５５】
ここでペア定義作成コマンドＣ２の処理手順について説明する。
【０１５６】
ペア定義作成コマンドＣ２の処理手順は、図１８に示すステップＳ２０〜Ｓ２５までの処理手順である。管理端末６とストレージ装置４との間で送信されるペア定義作成コマンドＣ２は図２２に示す。
【０１５７】
管理端末６とストレージ装置４との間のコマンドは、予め決められたコマンドである「ページコード」Ｃ２０、コマンド長である「ページ長」Ｃ２１及び「付加情報」Ｃ２２から構成される。
【０１５８】
具体的な付加情報Ｃ２２は、「設定種別」Ｃ２２０、「コピー種別」Ｃ２２１、ペアがコンシステンシ・グループに属しているか否かの「ＣＴＧ有効フラグ」Ｃ２２２、「ＣＴＧ番号」Ｃ２２３、「ＣＴＧ名称」Ｃ２２４、ペア定義された自らの論理ボリューム番号を示す「自論理ボリューム番号」Ｃ２２５、「ボリューム属性」Ｃ２２６、正側論理ボリュームＰＶＯＬが使用するプール番号を示す「正側プール番号」Ｃ２２７、副側論理ボリュームＰＶＯＬが使用するプール番号を示す「副側プール番号」Ｃ２２８、ペア定義された相手側の論理ボリューム番号を示す「相手論理ボリューム番号」Ｃ２２９、ペア定義された相手側のストレージ装置番号を示す「相手ストレージ装置番号」Ｃ２３０、ペアにつける名称を示す「ペア名称」Ｃ２３１及び正側論理ボリュームＰＶＯＬから副側論理ボリュームＳＶＯＬにデータをコピーする際のコピー速度を示す「コピー速度」Ｃ２３２の情報から構成される。
【０１５９】
なお、「設定種別」Ｃ２２０及び「コピー種別」Ｃ２２１、は、「設定種別」Ｃ１２０及び「コピー種別」Ｃ１２１と同様なので説明を省略する。
【０１６０】
図２１に戻り、ストレージ装置４はペア定義をローカルメモリ７３に格納すると再び管理端末６がペア定義情報を取得するためのコマンドを作成し、管理端末６及びストレージ装置４はペア定義情報取得コマンドに基づいた処理を行う（Ｓ４１〜Ｓ４６）。
【０１６１】
そしてユーザは、コンシステンシ・グループに複数のペアを所属させる場合、その全てのペアに関して定義操作を実行したか判断し（Ｓ４７）、全てのペアに関して定義操作が終了するまで実行する（Ｓ４７：ＮＯ）。ユーザは、コンシステンシ・グループに複数のペアの定義操作が全て終了したと判断すると（Ｓ４７：ＹＥＳ）、格納手順を終了する。
【０１６２】
なお、ペア定義情報に関する作成コマンドの作成処理は、コンシステンシ・グループ定義情報に関する作成コマンドの作成処理と同様に、管理端末６がストレージ管理プログラム６０に基づいて実行する。
【０１６３】
（１−６）ペア生成の処理手順
（１−６−１）ペア生成の処理手順
それでは次に、ペア定義情報７３１を格納したストレージ装置４を利用してペア生成する処理手順について説明する。ペア生成処理手順は、管理端末６がストレージ管理プログラム６０に基づいて実行する。
【０１６４】
具体的には、図２３〜図２５に示すように、ユーザはコンシステンシ・グループ状態画面Ｇ５を管理端末６へ表示させる（Ｓ５０）。
【０１６５】
管理端末６又はストレージ装置４は、ステップＳ５１からＳ５３までの処理手順を、ステップＳ３１からＳ３３までの処理手順と同様に行う。
【０１６６】
管理端末６はペア状態情報７３２をストレージ装置４から取得するためのコマンドを作成し（Ｓ５４）、当該コマンドをストレージ装置４に送信する（Ｓ５５）。
【０１６７】
コマンドを受信したストレージ装置４は、ローカルメモリ７３に格納している全てのペア状態情報７３２を管理端末６に送信する（Ｓ５６）。
【０１６８】
ペア状態情報７３２を受信した管理端末６は、現時点でのペア定義情報７３１とペア状態情報７３２とに基づいてコンシステンシ・グループ毎のペア状態を画面Ｇ５上に表示する（Ｓ５７）。
【０１６９】
ユーザは、表示された画面Ｇ５からペアの生成を希望するコンシステンシ・グループを１つ選択するため、チェックボタンＣ５〜Ｃ８のいずれかをチェックし、「生成」ボタンＢ１１をクリックすると（Ｓ５８）、管理端末６はペア生成画面Ｇ７を表示する（Ｓ５９）。
【０１７０】
ユーザは、表示されたペア生成画面Ｇ７からパラメータを選択しＢ３０〜Ｂ３３、「ＯＫ」ボタンＢ３４を選択する（Ｓ６０）。
【０１７１】
管理端末６は、ユーザが選択したパラメータを取得すると（Ｓ６１）、ペア定義情報７３１からコンシステンシ・グループに属するペアを全て割り出す（Ｓ６２）。
【０１７２】
そして管理端末６は、割り出したペアに対してストレージ装置４に生成させるためのペア生成コマンドを作成し（Ｓ６３）、当該コマンドをストレージ装置４に送信する（Ｓ６４）。
【０１７３】
ペア生成コマンドを受信したストレージ装置４は、当該コマンドに基づいてペアを生成する（Ｓ６５）。その後ストレージ装置４は、ペアが正常に生成又は生成失敗した旨を管理端末６に送信する。なお、ストレージ装置４が実行するペア生成処理は、後述で説明する。
【０１７４】
ストレージ装置４から応答を受信した管理端末６は、ステップＳ６２で割り出したコンシステンシ・グループに属する全てのペアに対してペア生成が終了したか否かを判断する（Ｓ６６）
【０１７５】
管理端末６は、コンシステンシ・グループに属する全てのペアに対してペア生成が終了してないと判断すると（Ｓ６６：ＮＯ）、再びステップＳ６３に戻り、次に割り出したペアに対して生成コマンドを作成することとなる。
【０１７６】
一方管理端末６は、コンシステンシ・グループに属する全てのペアに対してペア生成が終了していると判断すると（Ｓ６６：ＹＥＳ）、次に管理端末６は、ペア生成によって初期コピーを開始した新しいペアがペア状態情報７３２に更新されているので、ペア状態情報７３２をストレージ装置４から取得するための取得コマンドを作成する（Ｓ６７）。
【０１７７】
取得コマンドを作成すると管理端末６は、当該コマンドを送信する（Ｓ６８）。
【０１７８】
取得コマンドを受信したストレージ装置４は、ローカルメモリ７３に格納される全てのペア状態情報７３２を管理端末６に送信する（Ｓ６９）。
【０１７９】
全てのペア状態情報７３２を受信した管理端末６は、ユーザに対してペア状態情報として画面Ｇ５上に表示し（Ｓ７０）、ユーザが選択したコンシステンシ・グループに属する全てのペアが生成されていることを確認すると、この生成手順は終了する。
【０１８０】
なお、上述で説明した各種コマンドはＳＣＳＩ規約に従って送受信される。
【０１８１】
（１−６−２）ペア生成処理
次に、ペア生成処理手順のステップＳ６５において、ストレージ装置４が行うペア生成処理について説明する。このペア生成処理は、ストレージ装置４のＣＰＵ７２がペア生成プグラム７３４に基づいて実行する。
【０１８２】
具体的には図２６及び図２７に示すように、ストレージ装置４のＣＰＵ７２は、管理端末６からペア生成コマンドを受信するとペア生成処理を開始する（Ｓ８０）。現段階では、ペア定義のみが行われている状態である。
【０１８３】
ＣＰＵ７２は、受信したペア生成コマンドから、シャドウイメージ、スナップショット、トゥルーコピー又は非同期トゥルーコピーのいずれのコピー種別によるペア生成であるかを判断する（Ｓ８１）。
【０１８４】
そして、ＣＰＵ７２は、シャドウイメージ用のペア生成であると判断すると（Ｓ８１：ＳＩ）、ペア生成コマンドで指定された論理ボリュームＶＯＬがペア生成可能な記憶領域を有しているか否かを判断する（Ｓ８２）。
【０１８５】
ＣＰＵ７２は、論理ボリュームＶＯＬがペア生成可能な記憶領域を有していると判断すると（Ｓ８２：ＹＥＳ）、ペア生成可能な記憶領域としてシャドウイメージ用のリソースを確保する（Ｓ８３）。リソースは、ペア（１対の正側論理ボリュームＰＶＯＬと副側論理ボリュームＳＶＯＬ）のリソースであって、差分管理を行うためのペアの記憶領域等を指す。この確保により正側論理ボリュームＰＶＯＬにあるデータを副側論理ボリュームＳＶＯＬにコピーする準備ができたことになる。
【０１８６】
リソースを確保したＣＰＵ７２は、正側論理ボリュームＰＶＯＬに該当するペア状態情報７３０を更新する（Ｓ８４）。
【０１８７】
具体的にＣＰＵ７２は、ペア状態情報７３２のペア状態７３２０を「コピー中」、ボリューム属性７３２１を「正側論理ボリューム」として更新する。さらにＣＰＵ７２は、ＣＴＧ有効フラグ７３２２、ＣＴＧ番号７３２３及び各種パラメータ７３２８に「ユーザ入力値」を入力する。
【０１８８】
次にＣＰＵ７２は、副側論理ボリュームＳＶＯＬに該当するペア状態情報７３２を更新する（Ｓ８５）。
【０１８９】
具体的にＣＰＵ７２は、ペア状態情報７３２のペア状態７３２０を「生成中」、ボリューム属性７３２１を「副側論理ボリューム」とし、Ｐ−ＶＯＬ番号７３２４を「正側論理ボリュームＰＶＯＬ番号」を入力する。さらにＣＰＵ７２は、ＣＴＧ有効フラグ７３２２、ＣＴＧ番号７３２３、Ｐ−ＶＯＬ識別番号７３２５及び各種パラメータ７３２８に「ユーザ入力値」を入力する。
【０１９０】
更新後にＣＰＵ７２は、正側論理ボリュームＰＶＯＬにあるデータを副側論理ボリュームＳＶＯＬに初期コピーしてペア生成を実行する（Ｓ８６）。
【０１９１】
初期コピーを開始すると、ＣＰＵ７２は、管理端末６に正常にコピーを開始した旨を応答し（Ｓ８７）、ペア生成処理を終了する（Ｓ８９）。
【０１９２】
一方ステップＳ８２において、ＣＰＵ７２は、論理ボリュームＶＯＬがペア生成可能な記憶領域を有していないと判断すると（Ｓ８２：ＮＯ）、管理端末６に正常にコピーが失敗した旨の異常応答を行い（Ｓ８８）、ペア生成処理を終了する（Ｓ８９）。
【０１９３】
ステップＳ８１に戻り、ＣＰＵ７２は、スナップショット用のペア生成であると判断すると（Ｓ８１：ＳＳ）、ステップＳ９０〜Ｓ９７までの処理をステップＳ８２〜Ｓ８９までの処理と同様の処理手順で行う。
【０１９４】
再びステップＳ８１に戻り、ＣＰＵ７２は、トゥルーコピー用のペア生成であると判断すると（Ｓ８１：ＴＣ）、ステップＳ９８及びＳ９９までの処理をステップＳ８２及びＳ８３までの処理と同様の処理手順で行い、トゥルーコピー用のリソースを確保する（Ｓ９９）。
【０１９５】
トゥルーコピー用のリソースを確保したＣＰＵ７２は、正側論理ボリュームＰＶＯＬに該当するペア状態情報７３０を更新する（Ｓ１００）。
【０１９６】
具体的にＣＰＵ７２は、ペア状態情報７３２のペア状態７３２０を「コピー中」、ボリューム属性７３２１を「正側論理ボリューム」として更新する。加えて、相手論理ボリューム７３２６に「副側論理ボリューム番号と副側のストレージ装置番号」を入力する。さらにＣＰＵ７２は、ＣＴＧ有効フラグ７３２２、ＣＴＧ番号７３２３及び各種パラメータ７３２８に「ユーザ入力値」を入力する。
【０１９７】
次にＣＰＵ７２は、副側論理ボリュームＳＶＯＬに該当するペア状態情報７３０を更新する（Ｓ１０１）。
【０１９８】
具体的にＣＰＵ７２は、ペア状態情報７３２のペア状態７３２０を「コピー中」、ボリューム属性７３２１を「副側論理ボリューム」とし、Ｐ−ＶＯＬ番号７３２４に「正側論理ボリュームＰＶＯＬ番号」を入力する。さらにＣＰＵ７２は、ＣＴＧ有効フラグ７３２２、ＣＴＧ番号７３２３、Ｐ−ＶＯＬ識別番号７３２５及び各種パラメータ７３２８に「ユーザ入力値」を入力する。
【０１９９】
更新後にＣＰＵ７２は、正側論理ボリュームＰＶＯＬにあるデータを副側論理ボリュームＳＶＯＬに初期コピーしてペア生成を実行する（Ｓ１０２）。
【０２００】
初期コピーを開始すると、ＣＰＵ７２は、管理端末６に正常にコピーを開始した旨を応答し（Ｓ１０３）、ペア生成処理を終了する（Ｓ１０５）。
【０２０１】
一方ステップＳ９８において、ＣＰＵ７２は、論理ボリュームＶＯＬがペア生成可能な記憶領域を有していないと判断すると（Ｓ９８：ＮＯ）、管理端末６に正常にコピーが失敗した旨の異常応答を行い（Ｓ１０４）、ペア生成処理を終了する（Ｓ１０５）。
【０２０２】
ステップＳ８１に戻り、ＣＰＵ７２は、非同期トゥルーコピー用のペア生成であると判断すると（Ｓ８１：ＴＣＥ）、ステップＳ１０６〜Ｓ１１３までの処理をステップＳ９８〜Ｓ１０５までの処理と同様の処理手順で行う。
【０２０３】
（１−７）第１の実施の形態の効果
本実施の形態によれば、ペア設定に関する定義情報をストレージ装置内に記憶することで、ペア設定に関する定義情報を共有することができるので、他の管理端末がストレージ装置と接続された場合にもペア定義情報の引継ぎを容易にすることができる。
【０２０４】
また本実施の形態によれば、ペア設定に関する定義情報をストレージ装置内に記憶しているので、管理端末からペア設定に関する操作性が簡単にできる。
【０２０５】
また、本実施の形態によれば、セキュリティ情報をストレージ装置内に有するため、ペア定義をするときに実際の論理ボリューム番号をホスト装置上で管理する論理ボリューム番号に変換し、ホスト装置に提供することができる。このため、ユーザはホスト装置上で管理する論理ボリューム番号を選択することができるので、通常ホスト装置上での視点で論理ボリュームを選択するユーザの利便性を向上することができる。
【０２０６】
（２）他の実施の形態
なお、上述した実施の形態では、ストレージ管理プログラム６０を管理端末６に格納させているが、当該プログラム６０を搭載すれば、コンシステンシ・グループ定義情報又はペア定義情報をストレージ装置4内に格納することができるため、管理端末６には限られない。ホスト装置２がストレージ管理プログラム６０を搭載すれば、上述した管理端末６に換わってホスト装置２が上述した実施の形態を実現することができる。
【０２０７】
またコンシステンシ・グループ定義情報７３０やペア定義情報７３１を格納する格納部は、ローカルメモリ７３に設けたが、格納部を個別のハードウェア構成としてもよい。
【産業上の利用可能性】
【０２０８】
本発明は、１又は複数の記憶制御装置を有する記憶システムや、その他の形態の記憶システムに広く適用することができる。
【図面の簡単な説明】
【０２０９】
【図１】本実施の形態における記憶システムの全体構成を示すブロック図である。
【図２】本実施の形態におけるローカルメモリの内容を示す図である。
【図３】本実施の形態におけるコンシステンシ・グループ定義情報を示す図表である。
【図４】本実施の形態におけるペア定義情報を示す図表である。
【図５】本実施の形態におけるペア状態情報を示す図表である。
【図６】本実施の形態におけるセキュリティ定義情報を示す図表である。
【図７】本実施の形態における管理端末の画面遷移図である。
【図８】本実施の形態におけるコンシステンシ・グループ定義一覧の画面図である。
【図９】本実施の形態におけるコンシステンシ・グループ定義作成一覧の画面図である。
【図１０】本実施の形態におけるペア定義一覧の画面図である。
【図１１】本実施の形態におけるペア定義作成一覧の画面図である。
【図１２】本実施の形態におけるコンシステンシ・グループ状態一覧の画面図である。
【図１３】本実施の形態におけるペア状態一覧の画面図である。
【図１４】本実施の形態におけるペア状態一覧表の説明図である。
【図１５】本実施の形態におけるペア生成の画面図である。
【図１６】本実施の形態におけるコンシステンシ・グループ定義情報をストレージ装置に格納するためのシーケンス図である。
【図１７】本実施の形態におけるコンシステンシ・グループ定義情報をストレージ装置に格納するためのシーケンス図である。
【図１８】本実施の形態におけるコンシステンシ・グループ定義作成コマンドを作成するフローチャートである。
【図１９】本実施の形態におけるコンシステンシ・グループ定義作成コマンドの図表である。
【図２０】本実施の形態におけるペア定義情報をストレージ装置に格納するためのシーケンス図である。
【図２１】本実施の形態におけるペア定義情報をストレージ装置に格納するためのシーケンス図である。
【図２２】本実施の形態におけるペア定義作成コマンドの図表である。
【図２３】本実施の形態におけるペア生成を実行するためのシーケンス図である。
【図２４】本実施の形態におけるペア生成を実行するためのシーケンス図である。
【図２５】本実施の形態におけるペア生成を実行するためのシーケンス図である。
【図２６】本実施の形態におけるペア生成処理を行うフローチャートである。
【図２７】本実施の形態におけるペア生成処理を行うフローチャートである。
【符号の説明】
【０２１０】
１…記憶システム、２…ホスト装置、４……ストレージ装置、７……コントローラ、７０……ＬＡＮインターフェース、７１……フロントエンドインターフェース、７２……ＣＰＵ、７３……ローカルメモリ、７４……データ転送コントローラ、７５……キャッシュメモリ、７６……バックエンドインターフェース、８……記憶装置、ＶＯＬ……論理ボリューム、６……管理端末、６０…ストレージ管理プログラム。
【図１】
2008293305.tif 000003
【図２】
2008293305.tif 000004
【図３】
2008293305.tif 000005
【図４】
2008293305.tif 000006
【図５】
2008293305.tif 000007
【図６】
2008293305.tif 000008
【図７】
2008293305.tif 000009
【図８】
2008293305.tif 000010
【図９】
2008293305.tif 000011
【図１０】
2008293305.tif 000012
【図１１】
2008293305.tif 000013
【図１２】
2008293305.tif 000014
【図１３】
2008293305.tif 000015
【図１４】
2008293305.tif 000016
【図１５】
2008293305.tif 000017
【図１６】
2008293305.tif 000018
【図１７】
2008293305.tif 000019
【図１８】
2008293305.tif 000020
【図１９】
2008293305.tif 000021
【図２０】
2008293305.tif 000022
【図２１】
2008293305.tif 000023
【図２２】
2008293305.tif 000024
【図２３】
2008293305.tif 000025
【図２４】
2008293305.tif 000026
【図２５】
2008293305.tif 000027
【図２６】
2008293305.tif 000028
【図２７】
2008293305.tif 000029